(57)【特許請求の範囲】
【請求項１】
軒樋の排水口に取り付ける軒樋用ドレンであって、
前記排水口の下方に連結されるドレン受部と、該ドレン受部の上方に嵌合される背高ゴミ除け体とよりなり、
前記背高ゴミ除け体は、高さ方向に分割可能な複数の部材よりなり、軒樋の深さと略同程度の高さを有し、且つ、複数の排水窓が開設された逆籠状に形成してなり、該背高ゴミ除け体と前記ドレン受部が着脱可能に構成されており、
前記複数の部材は、各部材の下端に形成した係止部と、上端に形成した係止受部とより結合され、前記軒樋の深さに応じて前記背高ゴミ除け体の高さを調節できる構造としたことを特徴とする軒樋用ドレン。
【発明の詳細な説明】
【技術分野】
【０００１】
本発明は、軒樋の排水口に取り付ける軒樋用ドレンに関する。
【背景技術】
【０００２】
一般に、軒樋の下流端側には、前記軒樋内の雨水を竪樋等に排水するための排水口が開設されており、この排水口には、前記軒樋内に溜まった落葉やビニール袋等の障害物が、前記雨水と一緒に竪樋に流れ込むことを防止するため、前記排水口の上方に排水窓を開設したゴミ除け体を有する軒樋用ドレンを設けている（例えば、特許文献１参照。）。
【０００３】
具体的には、前記排水口の下方に、前記排水口と竪樋等を連結するためのドレン受部を設け、前記排水口を介して前記ドレン受部とゴミ除け体を嵌合し、前記排水口の上方に複数の排水窓が開設された逆椀状のゴミ除け体を設けてなる。
【０００４】
そのため、この軒樋用ドレンによれば、軒樋内に溜まった落葉やビニール袋等の障害物は、前記ゴミ除け体に堰き止められると共に、雨水だけが前記排水窓から排水口を通じて竪樋等に流れるため、前記障害物が雨水と一緒に竪樋等に流れ込むことを防止し、その結果、前記障害物が竪樋等に詰まることを防止できる。
【特許文献１】特開２００２−２７６１００号
【発明の開示】
【発明が解決しようとする課題】
【０００５】
しかし、従来の軒樋用ドレンには、以下の問題があった。
【０００６】
すなわち、前記ゴミ除け体に、例えば、落葉やビニル袋等のシート状の障害物が付着すると、前記ゴミ除け体の排水窓の一部が閉止されて排水効率が減少し、更に、これら障害物の付着が増加して滞積されると、前記排水窓の殆どが閉止されてしまい、排水効率が激減してしまう。
【０００７】
そのため、前記障害物を一々除去しなければ、排水窓を通じて排水される雨水量よりも、軒樋に貯留される雨水量の方が増して前記軒樋内に雨水が溜まり、やがて軒樋の上方から雨水が溢れ出すという問題があった。
【０００８】
本発明は、かかる課題を解決することを目的とするもので、落葉やビニール袋等の障害物が滞積しても長期間にわたって軒樋内の雨水を確実に排水可能な軒樋用ドレンを提供する。
【課題を解決するための手段】
【０００９】
上記目的を達成するため、
請求項１に係る軒樋用ドレンは、軒樋の排水口に取り付けられる軒樋用ドレンであって、前記排水口の下方に連結されるドレン受部と、該ドレン受部の上方に嵌合される背高ゴミ除け体とよりなり、前記背高ゴミ除け体は、高さ方向に分割可能な複数の部材よりなり、軒樋の深さと略同程度の高さを有し、且つ、複数の排水窓が開設された逆籠状に形成してなり、該背高ゴミ除け体と前記ドレン受部が着脱可能に構成されており、前記複数の部材は、各部材の下端に形成した係止部と、上端に形成した係止受部とより結合され、前記軒樋の深さに応じて前記背高ゴミ除け体の高さを調節できる構造としたことを特徴とする。
【００１０】
（削除）
【発明の効果】
【００１１】
本発明によれば、次のような効果がある。
請求項１に係る軒樋用ドレンによれば、背高ゴミ除け体は、軒樋の深さと略同程度の高さを有するので、前記背高ゴミ除け体の下端側に落葉やビニール袋等の障害物が多少滞積されても、前記排水窓の殆どが開放された状態を維持できるため、軒樋に貯留される雨水量よりも多くの雨水を排水することができ、前記軒樋内に雨水が溜まって該雨水が軒樋の上方から溢れ出すことを防止できる。
【００１２】
そのため、前記障害物を一々除去する手間がなく、長期間にわたって軒樋内の雨水を確実に排水できる。
【００１３】
また、背高ゴミ除け体とドレン受部を着脱可能に構成しているので、軒樋の深さに応じて対応する高さの背高ゴミ除け体をドレン受部に装着するだけで、簡単に取付けできる。
【００１４】
さらに、背高ゴミ除け体は、高さ方向に複数に分割及び結合可能な構造にしているので、軒樋の深さに応じて背高ゴミ除け体の高さを容易に調節でき、例えば、作業現場でも簡単に調節することができる。
【発明を実施するための最良の形態】
【００１５】
以下、本発明に係る軒樋用ドレンを図面とともに説明する。
【実施例１】
【００１６】
図１は、本発明に係る軒樋用ドレンＡの参考例を示す分解斜視図であり、図２は、図１の軒樋用ドレンＡを軒樋Ｔに装着した状態を示す縦断面図である。
【００１７】
本参考例の軒樋用ドレンＡは、軒樋Ｔの下流端側に開設された円形の排水口Ｔ１に取り付けられるもので、排水口Ｔ１の下方に連結されるドレン受部１と、該ドレン受部１の上方に嵌合される背高ゴミ除け体２とより構成してなる。
【００１８】
ドレン受部１は、排水口Ｔ１と略同口径の内径を有する筒状体であって、該筒状体の上端には外方に張り出した鍔片１１を形成すると共に、下端側の外壁には、竪樋等（不図示）の上端に内嵌される嵌合段部１２を形成し、前記竪樋等（不図示）を連結可能にしている。
【００１９】
また、ドレン受部１の内壁の一部又は全部には、周方向に向けてネジ溝等の螺合受部１３を形成している。
【００２０】
背高ゴミ除け体２は、軒樋Ｔの深さと略同程度の高さを有し、且つ、複数の排水窓２１が開設された逆籠状に形成してなる。
【００２１】
具体的には、背高ゴミ除け体２の下端には、軒樋Ｔの排水口Ｔ１に係止可能な鍔部２２が突設されると共に、この鍔部２２の下方には、排水口Ｔ１を貫通可能な筒状の貫通管２３を突設している。
【００２２】
また、この貫通管２３の周方向にはネジ山等の螺合部２４を形成し、この螺合部２４とドレン受部１の螺合受部１３とを螺合可能にして、背高ゴミ除け体２とドレン受部１を着脱可能にしている。
【００２３】
このように構成した本参考例の軒樋用ドレンＡは、排水口Ｔ１の下方にドレン受部１を配置すると共に、排水口Ｔ１の上方から背高ゴミ除け体２の貫通管２３を貫通し、この貫通管２３の周方向に形成した螺合部２４を、ドレン受部１の螺合受部１３に螺合するだけで、ドレン受部１の鍔片１１と背高ゴミ除け体２の鍔部２２が、排水口Ｔ１の口縁を挟持して、ドレン受部１及び背高ゴミ除け体２を簡単且つ確実に装着できる。
【００２４】
而して、このように装着された背高ゴミ除け体２は、軒樋Ｔの深さと略同程度の高さを有するので、背高ゴミ除け体２の下端側に落葉やビニール袋等の障害物（不図示）が多少滞積しても、排水窓２１の殆どが開放された状態を維持できるため、軒樋Ｔに貯留される雨水量よりも多くの雨水を排水窓２１から排水することができ、軒樋Ｔ内に雨水が溜まって該雨水が軒樋Ｔの上方から溢れ出すことを防止できる。
【００２５】
そのため、前記障害物（不図示）を一々除去する手間がなく、長期間にわたって軒樋Ｔ内の雨水を確実に排水できる。
【実施例２】
【００２６】
図３は、本発明に係る軒樋用ドレンＡの一実施例を示す分解斜視図である。
【００２７】
ここで、図１及び図２と共通する部位には、同一の符号を付して、重複する説明は省略し、以下では、本実施例の特徴についてのみ説明する。
【００２８】
すなわち、本実施例の背高ゴミ除け体２は、高さ方向に複数に分割及び結合可能な構造にしている。
【００２９】
具体的には、背高ゴミ除け体２を複数の部材に分割し、各部材の下端に係止爪２５よりなる係止部を形成し、この係止爪２５よりなる係止部に係止可能な係止受部２６を、各部材の上端に形成することで、複数の部材を分割及び結合可能な構造にしている。
【００３０】
（削除）
【００３１】
このような本発明の軒樋用ドレンＡによれば、背高ゴミ除け体２が、高さ方向に複数に分割及び結合可能にしているので、軒樋Ｔの深さに応じて背高ゴミ除け体２の高さを容易に調節でき、例えば、作業現場でも簡単に調節することができる。
【図面の簡単な説明】
【００３２】
【図１】本発明に係る軒樋用ドレンＡの参考例を示す分解斜視図である。
【図２】図１の軒樋用ドレンＡを軒樋Ｔに装着した状態を示す縦断面図である。
【図３】本発明に係る軒樋用ドレンＡの一実施例を示す分解斜視図である。
【符号の説明】
【００３３】
Ａ      軒樋用ドレン
Ｔ      軒樋
Ｔ１    排水口
１      ドレン受部
２      背高ゴミ除け体
２１    排水窓
２５    係止爪
２６    係止受部
【図１】
0004747147.tif 000002
【図２】
0004747147.tif 000003
【図３】
0004747147.tif 000004